【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
複数の稼動部品を有する生産装置の保守管理を行う情報処理装置であって、
前記生産装置に入力される予定のジョブを受信する受信手段と、
前記ジョブの実行による前記複数の稼動部品の夫々の消耗量を算出する算出手段と、
前記消耗量に基づいて前記稼動部品のメンテナンスの必要の有無と当該メンテナンスの所要時間とを決定する決定手段と、
前記複数の稼動部品の２つ以上についてメンテナンス処理が必要な場合に、第１稼働部品に対する第１メンテナンス処理中に、当該第１メンテナンスの所要時間以下の所要時間の第２メンテナンスを第２稼動部品に対して実施するように前記生産装置を制御する制御手段と
を有することを特徴とする情報処理装置。
【請求項２】
前記制御手段は、前記ジョブの実行前に前記稼動部品のメンテナンス処理を実施することを特徴とする請求項１に記載の情報処理装置。
【請求項３】
前記制御手段は、前記生産装置にメンテナンス処理を実施させる保守計画情報を生成し、当該保守計画情報を前記生産装置に実行させることを特徴とする請求項１又は２に記載の情報処理装置。
【請求項４】
同一のジョブにおいて、異なる稼働部品についてメンテナンス処理が必要な場合に、前記制御手段は、前記ジョブの実行前にメンテナンス処理が必要な稼働部品のすべてにメンテナンス処理を行うように前記生産装置を制御することを特徴とする請求項１乃至３のいずれか１項に記載の情報処理装置。
【請求項５】
異なる生産ジョブにおいて、異なる稼働部品についてメンテナンス処理が必要な場合に、前記制御手段は、最初に稼働部品のメンテナンスを行うタイミングで、メンテナンス処理が必要な稼働部品のすべてにメンテナンスを行うように前記生産装置を制御することを特徴とする請求項１乃至４のいずれか１項に記載の情報処理装置。
【請求項６】
メンテナンスのタイミングを定めた保守計画情報に従ってメンテナンスの実行が可能な生産装置の保守管理を行う情報処理装置であって、
前記生産装置に投入される予定の生産ジョブを受け付ける入力手段と、
前記生産ジョブに設定されている識別情報に対応する稼働条件であって、前記生産ジョブを前記生産装置で処理するために使用する少なくとも１つの稼働部品に設定するための稼働条件を、予め定められたデータベースから取得する取得手段と、
前記稼働条件に従って前記稼働部品を稼働した場合に、前記稼働部品の使用により消耗する消耗量を示す情報を、前記稼働条件に基づき算出する第１算出手段と、
前記生産ジョブの実行前における前記稼働部品の消耗量の累積を示す情報に、前記第１算出手段により算出された前記消耗量を示す情報を加えることにより、前記生産ジョブの実行後における前記稼働部品の消耗量の累積を示す情報を算出する第２算出手段と、
前記第２算出手段により算出された前記稼働部品の消耗量を示す情報が、前記稼働部品のメンテナンスが必要となる消耗量を示す第１閾値情報以上であるか否かを判定する第１判定手段と、
前記第１判定手段の判定により前記稼働部品の消耗量が前記第１閾値情報以上であると判定された場合に、前記稼働部品の消耗量を示す情報が、稼動可能な限界の消耗量を示す第２閾値情報以上であるか否かを判定する第２判定手段と、
前記第２判定手段の判定により、前記稼働部品の消耗量を示す情報が第２閾値情報を超えていないと判定された場合に、前記稼働部品のメンテナンスが必要となることを示す第１予測寿命情報を、前記生産ジョブと前記稼働部品とに対応付けるためのリスト情報に登録し、前記稼働部品の消耗量を示す情報が第２閾値情報以上と判定された場合に、前記稼働部品が稼働できなくなる限界の消耗量に到達することを示す第２予測寿命情報を前記リスト情報に登録する登録手段と、
前記リスト情報に前記第２予測寿命情報が登録されている場合に、前記リスト情報において前記第２予測寿命情報と対応付けられている前記生産ジョブの実行前に、前記第２予測寿命情報が登録されている前記稼働部品のメンテナンスを行うように前記保守計画情報を生成する生成手段と、
前記生成手段により生成された前記保守計画情報を前記生産装置に出力する出力手段と、を備え
第１稼働部品について前記第１予測寿命情報が前記リスト情報に登録されており、第２稼働部品について前記第２予測寿命情報が前記リスト情報に登録されている場合に、
前記生成手段は、設計情報として登録されている前記第１稼働部品のメンテナンスに要する時間と、前記第２稼働部品のメンテナンスに要する時間とを比較して、前記第１稼働部品のメンテナンスに要する時間が前記第２稼働部品のメンテナンスに要する時間より短い場合に、前記第２稼働部品のメンテナンスが行われるタイミングで前記第１稼働部品のメンテナンスも行うように前記保守計画情報を生成することを特徴とする情報処理装置。
【請求項７】
複数の稼動部品を有する生産装置の保守管理を行う情報処理方法であって、
情報処理装置の受信手段が、前記生産装置に入力される予定のジョブを受信する受信工程と、
前記情報処理装置の算出手段が、前記ジョブの実行による前記複数の稼動部品の夫々の消耗量を算出する算出工程と、
前記情報処理装置の決定手段が、前記消耗量に基づいて前記稼動部品のメンテナンスの必要の有無と当該メンテナンスの所要時間とを決定する決定工程と、
前記情報処理装置の制御手段が、前記複数の稼動部品の２つ以上についてメンテナンス処理が必要な場合に、第１稼働部品に対する第１メンテナンス処理中に、当該第１メンテナンスの所要時間以下の所要時間の第２メンテナンスを第２稼動部品に対して実施するように前記生産装置を制御する制御工程と
を有することを特徴とする情報処理方法。
【請求項８】
コンピュータを
生産装置に入力される予定のジョブを受信する受信手段、
前記ジョブの実行による複数の稼動部品の夫々の消耗量を算出する算出手段、
前記消耗量に基づいて前記稼動部品のメンテナンスの必要の有無と当該メンテナンスの所要時間とを決定する決定手段、
前記複数の稼動部品の２つ以上についてメンテナンス処理が必要な場合に、第１稼働部品に対する第１メンテナンス処理中に、当該第１メンテナンスの所要時間以下の所要時間の第２メンテナンスを第２稼動部品に対して実施するように前記生産装置を制御する制御手段として機能させるためのプログラム。
【手続補正２】
【補正対象書類名】明細書
【補正対象項目名】０００５
【補正方法】変更
【補正の内容】
【０００５】
【特許文献１】特開２００３−０５０６１７号公報
【特許文献２】特許第０３１３８６９０号公報
【手続補正３】
【補正対象書類名】明細書
【補正対象項目名】０００８
【補正方法】変更
【補正の内容】
【０００８】
上記の目的を達成する本発明に係る情報処理装置は、複数の稼動部品を有する生産装置の保守管理を行う情報処理装置であって、
前記生産装置に入力される予定のジョブを受信する受信手段と、
前記ジョブの実行による前記複数の稼動部品の夫々の消耗量を算出する算出手段と、
前記消耗量に基づいて前記稼動部品のメンテナンスの必要の有無と当該メンテナンスの所要時間とを決定する決定手段と、
前記複数の稼動部品の２つ以上についてメンテナンス処理が必要な場合に、第１稼働部品に対する第１メンテナンス処理中に、当該第１メンテナンスの所要時間以下の所要時間の第２メンテナンスを第２稼動部品に対して実施するように前記生産装置を制御する制御手段とを有することを特徴とする。